(57)【要約】【課題】カード型のＣＤなどの所定の記録媒体より小さい記録媒体が機器本体内に侵入することを阻止できる記録媒体再生装置を提供する。【解決手段】記録媒体再生装置１は所定の外径のＣＤの情報を読み出す装置であって機器本体３と搬送ユニット４と搬送阻止・許容機構５を備えている。機器本体３には記録媒体挿入口１２が設けられている。搬送ユニット４は搬送経路Ｒに沿ってＣＤを搬送する。搬送阻止・許容機構５はストッパ機構３９を備えている。ストッパ機構３９はストッパ部材４５を備えている。ストッパ部材３９は平板部４７とストッパ突起４８を備えている。平板部４７は機器本体３のシャーシ８の駆動シャーシ１６に重ねられる。ストッパ突起４８は平板部４７が駆動シャーシ１６に重なると搬送経路Ｒに突出する。ストッパ突起４８はＣＤより小さい記録媒体に接触してこの記録媒体が機器本体３内に侵入することを阻止する。【選択図】　　　図３
2004145912.tif 000002
【特許請求の範囲】
【請求項１】
所定の外径のディスク形記録媒体を機器本体内の再生位置に位置させて、このディスク形記録媒体に記録された情報を読み出す記録媒体再生装置において、
前記ディスク形記録媒体を前記機器本体に設けられた記録媒体挿入口から前記再生位置に至る搬送経路に沿って搬送する搬送手段と、
前記搬送手段が前記ディスク形記録媒体を前記記録媒体挿入口から前記再生位置に向かって搬送することを許容するとともに、前記搬送手段が前記ディスク形記録媒体より小さい記録媒体を前記記録媒体挿入口から前記再生位置に向かって搬送することを阻止する搬送阻止手段と、
を備えたことを特徴とする記録媒体再生装置。
【請求項２】
前記搬送手段は、前記ディスク形記録媒体より小さい記録媒体を前記記録媒体挿入口から前記再生位置に向かって搬送することを前記搬送阻止手段が阻止して所定時間経過すると、前記記録媒体を前記記録媒体挿入口を通して機器本体外に排出する構成となっていることを特徴とする請求項１記載の記録媒体再生装置。
【請求項３】
前記搬送阻止手段は、
前記機器本体のシャーシにそれぞれ回転自在に設けられているとともに第１の方向に付勢された一対のディスク検知アームと、
前記シャーシに回転自在に設けられかつ前記一対のディスク検知アームと連動して回転する連動アームと、
前記シャーシに重ねられる平板部とこの平板部から突出した突起とを備え、前記突起が前記搬送経路に突没自在に前記シャーシに支持されているとともに前記ディスク形記録媒体が機器本体内に未挿入の状態では前記突起が搬送経路に突出したストッパ部材と、を備え、
前記搬送手段がディスク形記録媒体を再生位置に向かって搬送すると、前記一対のディスク検知アームが前記ディスク形記録媒体に接触して付勢力に抗して回転するとともに、前記一対のディスク検知アームが回転すると前記連動アームが回転して、この連動アームの回転に連動して前記ストッパ部材が付勢力に抗して変位して前記突起が搬送経路から退避することを特徴とする請求項１または請求項２記載の記録媒体再生装置。
【請求項４】
前記搬送阻止手段は、前記ディスク形記録媒体と接触しかつ中心軸回りに回転することで前記ディスク形記録媒体を搬送する搬送ローラを備え、
前記ストッパ部材は前記突起を一対備え、これら一対の突起は前記機器本体の幅方向に沿って互いに間隔をあけており、
前記記録媒体として平面矩形状のカード型ＣＤを搬送する際に、記録媒体挿入口から前記再生位置に至る方向の前記搬送ローラの中心軸と前記突起との間隔が前記カード型ＣＤの短辺の長さ以下で、かつ前記機器本体の幅方向の一対の突起間の間隔がカード型ＣＤの長辺の長さ以下であることを特徴とする請求項３記載の記録媒体再生装置。
【発明の詳細な説明】
【０００１】
【発明の属する技術分野】
本発明は、例えば、Ｃｏｍｐａｃｔ　Ｄｉｓｃなどの記録媒体から情報を読み出す記媒体再生装置に関する。
【０００２】
【従来の技術】
例えば、移動体としての自動車などのインストルメントパネル（以下インパネと呼ぶ）には、記録媒体再生装置としてのＣＤプレーヤ（例えば、特許文献１参照）などが取り付けられる。ＣＤプレーヤは、Ｃｏｍｐａｃｔ　Ｄｉｓｃ（以下ＣＤと呼ぶ）などの記録媒体が記録した情報を読み出す。一般に、ＣＤは、直径が１２ｃｍのものと８ｃｍのものが用いられている。
【０００３】
前記ＣＤプレーヤは、前記インパネに取り付けられる機器本体と、前記機器本体に開口した記録媒体挿入口と、搬送ユニットと、前記ＣＤに記録された情報を読み出すための再生ユニット等を備えている。機器本体は、複数の板金などが互いに組み付けられて箱状に形成されている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。搬送ユニットは、互いに接離自在に設けられた一対の挟持部材を備えている。
【０００５】
これら一対の挟持部材のうち一方は、モータなどの駆動源によって回転駆動される搬送ローラを備えている。搬送ローラは、前記モータなどの駆動源によって回転駆動されることによって、ＣＤを搬送する。他方の挟持部材は、摩擦係数の小さい滑り部材を備えている。滑り部材は、前記搬送ローラとの間に前記ＣＤを挟んで、該ＣＤの搬送方向を案内する。搬送ユニットは、一対の挟持部材間にＣＤを挟んで、前記ＣＤを搬送する。
【０００６】
再生ユニットは、前記ＣＤを回転するために回転テーブルと、前記ＣＤに記録された情報を読み出すための光ピックアップ等を備えている。再生ユニットは、前記ＣＤを前記再生位置に位置決め（クランプ）して、回転テーブルがＣＤを回転して、光ピックアップが前記ＣＤに記録された情報を読み出す。
【０００７】
前記ＣＤは、記録媒体挿入口を通して機器本体内に挿入されると、搬送ユニットの一対の挟持部材間に挟まれて、再生位置に向かって搬送される。再生位置に至ると、前記ＣＤは、再生ユニットによりクランプされて情報が読み出される。ＣＤは、搬送ユニットにより再生位置から記録媒体挿入口まで搬送されて、記録媒体挿入口を通して機器本体該に排出される。
【０００８】
前述したＣＤとして、近年、カード型（名刺型）のＣＤ（例えば、特許文献２参照）が用いられるようになっている。カード型（名刺型）のＣＤは、一辺が６ｃｍ程度で他の辺が８ｃｍ程度の矩形状に形成されている。
【０００９】
【特許文献１】
特開平５−１５９４２９号公報
【特許文献２】
特開２００２−１２４０５２号公報
【００１０】
【発明が解決しようとする課題】
前記カード型のＣＤを、前述したＣＤプレーヤなどに挿入すると、このカード型のＣＤが通常情報を読み出すＣＤより小さいため、搬送手段が再生位置に位置付けることができない場合があった。この場合、勿論、カード型のＣＤから情報を読み出すことができない。
【００１１】
また、再生位置に位置付けられないと、カード型のＣＤは、記録媒体挿入口から再生位置に至る搬送経路を外れてしまう。このため、カード型のＣＤは機器本体の奥に侵入してしまい、機器本体外に排出することが困難となる虞があった。このようなトラブルは、一般のユーザでは対応できない現象であり、不具合として致命的なものとなることがある。
【００１２】
したがって、本発明の目的の一例は、所定の外径のディスク形記録媒体より小さい記録媒体が機器本体内に侵入することを阻止できる記録媒体再生装置を提供することにある。
【００１３】
【課題を解決するための手段】
前記課題を解決し目的を達成するために、請求項１に記載の本発明の記録媒体再生装置は、所定の外径のディスク形記録媒体を機器本体内の再生位置に位置させて、このディスク形記録媒体に記録された情報を読み出す記録媒体再生装置において、前記ディスク形記録媒体を前記機器本体に設けられた記録媒体挿入口から前記再生位置に至る搬送経路に沿って搬送する搬送手段と、前記搬送手段が前記ディスク形記録媒体を前記記録媒体挿入口から前記再生位置に向かって搬送することを許容するとともに、前記搬送手段が前記ディスク形記録媒体より小さい記録媒体を前記記録媒体挿入口から前記再生位置に向かって搬送することを阻止する搬送阻止手段と、を備えたことを特徴としている。
【００１４】
【発明の実施の形態】
この発明の記録媒体再生装置は、上記のように、搬送阻止手段が、所定の外径のディスク形記録媒体より小さい記録媒体を記録媒体挿入口から再生位置に向かって搬送することを阻止する。こうすることで、この発明の記録媒体再生装置は、所定の外径のディスク形記録媒体より小さい記録媒体が機器本体内に侵入することを防止できるようにしたものである。
【００１５】
また、この発明の記録媒体再生装置において、搬送阻止手段が記録媒体の搬送を阻止して所定時間経過すると、搬送手段が記録媒体を機器本体外に排出すれば良い。
【００１６】
さらに、この発明の記録媒体再生装置において、所望のディスク形記録媒体に接触する一対のディスク検知アームと、ディスク検知アームに連動して回転する連動アームと、連動アームに連動して変位して突起を搬送経路に突没させるストッパ部材とを備えて、搬送阻止手段が構成されても良い。
【００１７】
また、機器本体の幅方向の一対の突起間の間隔をカード型ＣＤの長辺の長さ以下とし、記録媒体挿入口から再生位置に至る方向の突起と搬送ローラの中心軸との間隔をカード型ＣＤの短辺の長さ以下としても良い。
【００１８】
【実施例】
本発明の一実施例にかかる記録媒体再生装置１を図１ないし図１９を参照して説明する。図１などに示す記録媒体再生装置１は、例えば、移動体としての自動車のインストルメントパネル（以下インパネと呼ぶ）に装着される。記録媒体再生装置１は、所定の外径のディスク形記録媒体としてのＣＤ２を後述する機器本体３内に収容する。記録媒体再生装置１は、所定の外径のＣＤ２を機器本体３内の後述する再生位置に位置させて、このＣＤ２に記録された情報を取り出して（再生して）、音声として出力する。本実施例では、ＣＤ２の外径は１２ｃｍである。
【００１９】
記録媒体再生装置１は、図２などに示すように、機器本体３と、搬送手段としての搬送ユニット４（図３などに示す）と、搬送阻止手段としての搬送阻止・許容機構５（図３などに示す）と、駆動機構６（図７などに示す）とを備えている。
【００２０】
機器本体３は、図２などに示すように、ケースＣと、フレーム７と、シャーシ８とを備えている。ケースＣは、合成樹脂からなる。ケースＣは、扁平な箱状に形成されている。ケースＣの図１中手前側の一つの外壁には、記録媒体挿入口１２と、開閉扉１３と、各種のスイッチ１４とが設けられている。
【００２１】
記録媒体挿入口１２は、前記外壁を貫通している。記録媒体挿入口１２の平面形状は、矩形状に形成されている。記録媒体挿入口１２の長手方向は、記録媒体再生装置１の幅方向に沿っている。記録媒体挿入口１２は、記録媒体再生装置１の厚み方向の幅Ｈ１がＣＤ２の厚みより大きく、かつ記録媒体再生装置１の幅方向の幅Ｈ２がＣＤ２の外径より大きく形成されている。
【００２２】
記録媒体挿入口１２は、前記外壁の表面に直交する図１などに示す矢印Ｋに沿って、内側に前記ＣＤ２を通すことができる。記録媒体挿入口１２を通して、ＣＤ２は、搬送ユニット４により機器本体３内に収容されたり機器本体３内から排出される。以下、矢印Ｋを搬送方向と呼ぶ。また、搬送方向Ｋは、本明細書に記した記録媒体としてのＣＤ２及びカード型ＣＤ１００が記録媒体挿入口１２から再生位置に至る方向をなしている。
【００２３】
開閉扉１３は、板状に形成されており、平面形状が矩形状に形成されている。開閉扉１３は、前記記録媒体挿入口１２を開放する位置と、記録媒体挿入口１２を塞ぐ位置とに亘って、フレーム７に回転自在に支持されている。開閉扉１３は、記録媒体挿入口１２を塞ぐ方向に図示しないばねなどにより付勢されている。なお、開閉扉１３を省略して、記録媒体挿入口１２が露出するようにしても良い。
【００２４】
フレーム７は、板金などからなる。フレーム７は、略平坦な底壁９とこの底壁９と間隔をあけて相対する天井壁１０と前記底壁９と天井壁１０とを連なる複数の周壁１１とを備えて、扁平な箱状に形成されている。
【００２５】
シャーシ８は、図２ないし図６などに示すように、メインシャーシ１５と、クランプアーム１６とを備えており、前記フレーム７内に収容されている。シャーシ８は、ダンパやばねなどを介してフレーム７に取り付けられている。メインシャーシ１５は、板金からなり、図３ないし図６などに示すように、平板状のシャーシ本体１７と、このシャーシ本体１７の両縁に連なる一対の側壁１８とを一体に備えている。
【００２６】
シャーシ本体１７は、図２に示すように、底壁９と天井壁１０と略平行な状態でこれらの壁９，１０間に収容される。以下、シャーシ本体１７の図２中の上方に位置する表面を以下表面１７ａと呼び、図２中下方に位置する表面を以下裏面１７ｂと呼ぶ。表面１７ａは、天井壁１０と間隔をあけて相対し、裏面１７ｂは、底壁９と間隔をあけて相対する。シャーシ本体１７は、その表面１７ａ上にＣＤ２を位置させる。
【００２７】
一対の側壁１８は、フレーム７の記録媒体挿入口１２が設けられていない周壁１１と平行な状態で配される。一対の側壁１８は、互いに間隔をあけて相対しかつ平行である。
【００２８】
また、メインシャーシ１５のシャーシ本体１７には、回転テーブル１９（図２に示す）が取り付けられている。回転テーブル１９は、シャーシ本体１７の表面１７ａの中央に回転自在に支持されている。回転テーブル１９は、ＣＤ２の中央孔内に侵入する。回転テーブル１９は、モータ２０などの駆動力によってＣＤ２を回転させる。モータ２０は、メインシャーシ１５のシャーシ本体１７の裏面１７ｂに取り付けられている。
【００２９】
クランプアーム１６は、板金などからなり、平板状に形成されている。クランプアーム１６は、シャーシ本体１７の表面１７ａ側に重ねられている。クランプアーム１６は、シャーシ８がフレーム７内に収容されると、シャーシ本体１７の記録媒体挿入口１２から離れた縁部１７ｃに、クランプアーム１６自体の記録媒体挿入口１２から離れた縁部１６ａを中心として回転自在に支持されている。クランプアーム１６は、図示しないばねなどによりメインシャーシ１５のシャーシ本体１７に近づく方向に付勢されている。
【００３０】
また、クランプアーム１６には、突出片２１（図１４ないし図１６に示す）が一体に形成されているとともに、複数の孔２２（図３ないし図６に示す）が形成されている。突出片２１は、クランプアーム１６からメインシャーシ１５のシャーシ本体１７に向かって突出している。突出片２１は、メインシャーシ１５の一方の側壁１８の近傍に配されている。突出片２１は、延在部２３とガイド部２４とを一体に備えている。延在部２３は、クランプアーム１６からシャーシ本体１７に向かって延びている。ガイド部２４は、延在部２３のメインシャーシ１５寄りの端部に取り付けられている。
【００３１】
ガイド部２４は、板状に形成されかつ平坦部２５と傾斜部２６とを一体に備えている。平坦部２５は、メインシャーシ１５のシャーシ本体１７に沿った平板状に形成されている。傾斜部２６は、平坦部２５から記録媒体挿入口１２に向かって延びている。傾斜部２６は、平坦部２５から記録媒体挿入口１２に向かうにしたがって、徐々にメインシャーシ１５のシャーシ本体１７から離れる方向（図１４中の上方）に徐々に傾斜している。
【００３２】
ガイド部２４には、後述のスライド部材７３の支持片８２が接触する。ガイド部２４の平坦部２５にスライド部材７３の支持片８２が接触すると、クランプアーム１６がメインシャーシ１５のシャーシ本体１７から離れる。又、ガイド部２４の傾斜部２６にスライド部材７３の支持片８２が接触しないと（間隔をあけると）、クランプアーム１６がメインシャーシ１５のシャーシ本体１７に重なる。
【００３３】
孔２２は、クランプアーム１６を貫通しており、後述のストッパ機構３９のストッパ部材４５のストッパ突起４８やアーム４６の検知ピン５１と押し出しピン５２などを通すことができる。
【００３４】
さらに、クランプアーム１６は、図１４などに示すように、クランパ２７を支持している。クランパ２７は、合成樹脂からなり円盤状に形成されている。クランパ２７は、クランプアーム１６の記録媒体挿入口１２寄りの縁に支持されている。クランパ２７の中央部は、ＣＤ２の中央孔内に侵入する。
【００３５】
クランパ２７は、クランプアーム１６がメインシャーシ１５のシャーシ本体１７に近づくと、回転テーブル１９との間にＣＤ２を挟んでクランプする。クランパ２７は、クランプアーム１６がメインシャーシ１５のシャーシ本体１７から離れると、ＣＤ２の移動を妨げない（許容する）。
【００３６】
クランパ２７と回転テーブル１９との間に挟まれた（クランプされた）ＣＤ２の位置は、本明細書に記した再生位置をなしている。このため、ＣＤ２は、記録媒体挿入口１２と再生位置とに亘って搬送されることとなる。ＣＤ２の記録媒体挿入口１２と再生位置とに至る軌跡を、本明細書では搬送経路Ｒと呼ぶ。搬送経路Ｒは、記録媒体挿入口１２内を通って再生位置に至る際にＣＤ２全体の軌跡を示している。
【００３７】
搬送ユニット４は、図３などに示すように、記録媒体挿入口１２の近傍に配され、ローラアーム２８と、搬送ローラ２９と、ディスクガイド３０（図１４などに示す）とを備えている。ローラアーム２８は、板金などからなり、平板状の平板部３１と、この平板部３１の両縁から立設した一対の立設部３２とを備えている。平板部３１は、平面形状が矩形状に形成されて、その長手方向がシャーシ８則ち機器本体３の幅方向と平行な状態で配される。
【００３８】
平板部３１の長手方向の長さは、シャーシ８のメインシャーシ１５のシャーシ本体１７の幅と等しい。平板部３１には、図３ないし図６に示すように、後述のディスク検知アーム４１のアーム本体４３を通すことのできる孔３３が一対設けられている。平板部３１の記録媒体挿入口１２寄りの縁には、一対の爪３４が立設している。
【００３９】
爪３４は、図１６に示すように、後述の搬送阻止位置で、平板部３１からディスクガイド３０に向かって延びている。爪３４は、搬送阻止位置で平板部３１とディスクガイド３０との間則ち記録媒体挿入口１２内をＣＤ２が通ることを規制する（機器本体３内にＣＤ２が存在しているときには、記録媒体挿入口１２内にＣＤ２を通させない）。
【００４０】
一対の立設部３２は、互いに間隔をあけて相対しかつ平行である。立設部３２は、メインシャーシ１５の側壁１８に重ねられる。立設部３２は、その中央を中心として回転自在に側壁１８則ちシャーシ８に支持される。
【００４１】
立設部３２の中央が回転自在に側壁１８に支持されることで、ローラアーム２８は、回転自在にシャーシ８に支持される。ローラアーム２８は、平板部３１がシャーシ８のメインシャーシ１５のシャーシ本体１７に対し傾いて、搬送ローラ２９をディスクガイド３０に近づけた図１４及び図１５に示す搬送位置と、平板部３１がシャーシ８のメインシャーシ１５のシャーシ本体１７と平行で、かつ搬送ローラ２９をディスクガイド３０から離した図１６に示す搬送阻止位置とに亘って変位自在となっている。
【００４２】
搬送ローラ２９は、一対の立設部３２間に回転自在に支持されている。搬送ローラ２９は、立設部３２の記録媒体挿入口１２から離れた側の端部に支持されている。搬送ローラ２９の回転中心Ｐ（図３中に一点鎖線で示し、本明細書に記した中心軸をなしている）は、シャーシ８の幅方向則ちローラアーム２８の平板部３１の長手方向に沿っている。
【００４３】
搬送ローラ２９の一端部には、図１４などに示す歯車３５が取り付けられている。前述した搬送位置において、搬送ローラ２９の歯車３５は、駆動機構６の後述の図示しない従動歯車と噛み合う。
【００４４】
搬送ローラ２９は、前述した搬送位置で、前記歯車３５などを介して後述のモータ６１の回転駆動力によって回転される。搬送阻止位置では、搬送ローラ２９の歯車３５は、従動歯車と噛み合わない。搬送阻止位置では、搬送ローラ２９は停止する。搬送ローラ２９は、ＣＤ２に接触して、回転中心Ｐ回りに回転して、搬送方向Ｋに沿ってＣＤ２を搬送する。
【００４５】
ディスクガイド３０は、板金などからなるガイド本体３６と、該ガイド本体３６に取り付けられた滑り部材３７と、を備えている。ガイド本体３６は、長手方向がシャーシ８の幅方向に沿った帯状に形成されている。ガイド本体３６は、一対の側壁１８双方に取り付けられている。ガイド本体３６は、側壁１８の記録媒体挿入口１２寄りの端部に取り付けられている。ガイド本体３６の長手方向は、記録媒体挿入口１２の長手方向則ち機器本体３の幅方向に沿っている。
【００４６】
滑り部材３７は、摩擦係数の小さい合成樹脂からなる。滑り部材３７は、薄い板状に形成されている。滑り部材３７は、ガイド本体３６のローラアーム２８の平板部３１と相対する機器本体３の内面に取り付けられている。前述した構成の搬送ローラ２９とディスクガイド３０は、挟持手段をなしている。このため、搬送ユニット４は、挟持手段を備えていることとなる。
【００４７】
前述した搬送ユニット４は、ローラアーム２８が搬送位置に位置付けられると、従動歯車に歯車３５が噛み合って搬送ローラ２９が回転する。そして、搬送ローラ２９とディスクガイド３０との間にＣＤ２を挟んで、ＣＤ２を記録媒体挿入口１２内に通して、機器本体３内に収容されたり、該機器本体３内から排出する。
【００４８】
ＣＤ２を再生位置に位置付けてローラアーム２８が搬送阻止位置に位置付けられると、従動歯車と歯車３５との噛み合いが外れて、搬送ローラ２９の回転が停止する。そして、爪３４が、ＣＤ２が記録媒体挿入口１２内を通ることを規制して、ＣＤ２が機器本体３内に収容されることを規制する。
【００４９】
搬送阻止・許容機構５は、図３ないし図６に示すように、ディスク検知機構３８と、ストッパ機構３９と、連動アーム４０を備えている。ディスク検知機構３８は、図３などに示すように、シャーシ８のメインシャーシ１５のシャーシ本体１７の表面１７ａ上に取り付けられている。ディスク検知機構３８は、一対のディスク検知アーム４１と、リンク４２とを備えている。
【００５０】
一対のディスク検知アーム４１は、それぞれ、記録媒体挿入口１２の近傍に配されている。一対のディスク検知アーム４１は、シャーシ８の幅方向に沿って互いに間隔をあけて配されている。
【００５１】
一対のディスク検知アーム４１は、それぞれ、合成樹脂からなり、帯状のアーム本体４３と、突出ピン４４と、を備えている。一対のディスク検知アーム４１のアーム本体４３は、両端部４３ａ，４３ｂが互いに近づいたり離れたり（接離）するように、回転自在にメインシャーシ１５のシャーシ本体１７に支持されている。
【００５２】
アーム本体４３の一端部４３ａは、他端部４３ｂより前記記録媒体挿入口１２寄りに配されている。アーム本体４３は、図３に示す長手方向が前記搬送方向Ｋに沿う状態と、この状態から一端部４３ａが互いに離れた図５に示す状態とに亘って、変位可能にシャーシ本体１７に回転自在に支持されている。
【００５３】
また、ディスク検知アーム４１は、アーム本体４３が孔３３内に通った状態でシャーシ８のシャーシ本体１７に他端部４３ｂを中心として回転自在に支持されている。突出ピン４４は、アーム本体４３の一端部４３ａから天井壁１０即ち記録媒体挿入口１２の内側に向かって突出している。
【００５４】
リンク４２は、合成樹脂からなり、帯板状に形成されている。リンク４２は、長手方向がシャーシ８の幅方向に沿う状態で、メインシャーシ１５のシャーシ本体１７の表面１７ａ上に支持されている。リンク４２は、その長手方向則ちシャーシ８の幅方向に沿ってスライド自在に支持されている。リンク４２は、図３中左側の一方のディスク検知アーム４１のアーム本体４３の一端部４３ａと、図３中右側の他方のセンタリンクアーム４１のアーム本体４３の他端部４３ｂとを連結している。
【００５５】
リンク４２は、シャーシ８の幅方向にスライドすることで、一対のディスク検知アーム４１のアーム本体４３の両端部４３ａ，４３ｂを互いに近づけたり離したり（接離）させる。なお、接離とは、近づいたり離れたりすることである。このとき、アーム本体４３の一端部４３ａが互いに近づくと他端部４３ｂが互いに離れ、アーム本体４３の他端部４３ｂが互いに近づくと一端部４３ａが互いに離れる。
【００５６】
また、リンク４２は、一対のディスク検知アーム４１のアーム本体４３の一端部４３ａが互いに近づく方向に図示しないばねなどにより付勢されている。こうして、ディスク検知アーム４１は、一端部４３ａが互いに近づく方向（本明細書の一方向に相当し、図３中に矢印Ｓで示す）に付勢されている。
【００５７】
ストッパ機構３９は、図３などに示すように、ストッパ部材４５と、アーム４６とを備えている。ストッパ部材４５は、合成樹脂などからなり、平板状の平板部４７と、複数のストッパ突起４８と、連動突起４９などを備えている。平板部４７は、クランプアーム１６の機器本体３の外側の位置する表面に重ねられる。また、平板部４７は、記録媒体挿入口１２から離れた側の縁を中心として、回転自在にクランプアーム１６に支持されている。
【００５８】
ストッパ突起４８は、平板部４７から機器本体３の内側則ちクランプアーム１６に向かって突出している。ストッパ突起４８は、クランプアーム１６の孔２２内を通って、クランプアーム１６よりメインシャーシ１５に向かって突出可能である。このため、ストッパ突起４８は、孔２２内を通って搬送経路Ｒに突出可能である。
【００５９】
また、ストッパ突起４８は、ストッパ部材４５の平板部４７がクランプアーム１６から前記縁部を中心として回転して離れると、前記搬送経路Ｒ内に突出しなくなる（搬送経路Ｒから退避する）。図１４に示すストッパ突起４８が搬送経路Ｒ内に突出したストッパ部材４５の位置を阻止位置と呼び、図１５に示すストッパ突起４８が搬送経路Ｒ内に突出しないストッパ部材４５の位置を許容位置と呼ぶ。ストッパ突起４８は、本明細書に記した突起をなし、搬送経路Ｒに突没自在となっている。
【００６０】
また、ストッパ突起４８は、一対設けられている。これら一対のストッパ突起４８は、機器本体３の幅方向に沿って互いに間隔をあけている。機器本体３の幅方向とは、搬送方向Ｋに対し直交しかつＣＤ２の表面に沿う方向である。機器本体３の幅方向の一対のストッパ突起４８間の間隔ａ（図３に示す）は、後述のカード型ＣＤ１００（図１９に示す）の長辺の長さＡ以下となっている。さらに、搬送方向Ｋの搬送ローラ２９の回転中心Ｐと搬送ローラ２９寄りのストッパ突起４８との間隔ｂ（図３に示す）は、カード型ＣＤ１００の短辺の長さＢ（図１９に示す）以下となっている。
【００６１】
連動突起４９は、平板部４７から機器本体３の内側則ちクランプアーム１６に向かって突出している。連動突起４９は、クランプアーム１６の孔２２内を通って、クランプアーム１６よりメインシャーシ１５に向かって突出する。連動突起４９は、連動アーム４０の後述する他端部に重なる。
【００６２】
アーム４６は、帯板状のアーム本体５０と、このアーム本体５０の長手方向の中央部より一端部寄りに設けられ検知ピン５１と、アーム本体５０の他端部に設けられた押し出しピン５２とを一体に備えている。アーム本体５０は、長手方向の中央を中心としてストッパ部材４５の平板部４７に回転自在に支持されている。アーム本体５０は、長手方向がシャーシ８の幅方向に沿う状態で配されかつ一端部が他端部よりシャーシ８の内側に位置している。
【００６３】
検知ピン５１は、アーム本体５０から機器本体３の内側則ちクランプアーム１６に向かって突出している。検知ピン５１は、クランプアーム１６の孔２２内を通って、クランプアーム１６よりメインシャーシ１５に向かって突出する。このため、検知ピン５１は、孔２２内を通って搬送経路Ｒ内に突出可能である。また、検知ピン５１は搬送経路Ｒの記録媒体挿入口１２から最も離れた位置に位置付けられる。
【００６４】
押し出しピン５２は、アーム本体５０から機器本体３の内側則ちクランプアーム１６に向かって突出している。押し出しピン５２は、クランプアーム１６の孔２２内を通って、メインシャーシ１５のシャーシ本体１７の裏面１７ｂ側に突出する。また、前述した構成のアーム４６は、一端部が記録媒体挿入口１２に近づきかつ他端部が記録媒体挿入口１２から離れる方向に、図示しないばねなどにより付勢されている。
【００６５】
連動アーム４０は、合成樹脂からなり帯板状に形成されている。連動アーム４０は、シャーシ８のメインシャーシ１５のシャーシ本体１７の表面１７ａ上に配されている。連動アーム４０は、長手方向が前記搬送方向Ｋに沿う状態で配されている。連動アーム４０は、長手方向の中央を中心として回転自在に、メインシャーシ１５に支持されている。
【００６６】
また、連動アーム４０の記録媒体挿入口１２寄りの一端部は、前記一方のディスク検知アーム４１より機器本体３の外側則ち側壁１８寄りに配されている。連動アーム４０の記録媒体挿入口１２から離れた側の他端部には、連動突起４９が重なる。
【００６７】
連動突起４９は、図３に示す長手方向が搬送方向Ｋに沿う状態に連動アーム４０が位置付けられると、後述の低部５４に重なる。さらに、連動アーム４０は、図示しないばねなどにより、前記一端部が一方のディスク検知アーム４１に近づきかつ他端部が連動突起４９から離れる方向に付勢されている。
【００６８】
また、前記他端部には連動部５３が設けられている。連動部５３は、低部５４と高部５５と傾斜部５６とを備えている。低部５４は、その表面が平坦でかつシャーシ８のメインシャーシ１５のシャーシ本体１７と平行である。低部５４は、連動アーム４０の他端部の機器本体３の内側寄りの縁に設けられている。
【００６９】
高部５５は、その表面が平坦でかつシャーシ８のメインシャーシ１５のシャーシ本体１７と平行である。高部５５の表面は、低部５４の表面よりフレーム７の天井壁１０寄りに配されている。また、高部５５は、連動アーム４０の他端部の前記低部５４より機器本体３の外側に設けられている。
【００７０】
傾斜部５６は、低部５４と高部５５との間に配されている、傾斜部５６の表面は、低部５４の表面と高部５５の表面との双方に対し傾斜しており、低部５４の表面と高部５５の表面との双方と連なっている。このため、傾斜部５６の表面は、低部５４から高部５５に近づくのにしたがって徐々に天井壁１０に近づく方向に、前記低部５４の表面と高部５５の表面との双方に対し傾斜している。
【００７１】
また、搬送阻止・許容機構５は、一対のディスク検知アーム４１のアーム本体４３の一端部４３ａが互いに近づいた状態で、記録媒体挿入口１２内にＣＤ２が挿入されると、一端部４３ａが互いに離れる方向にディスク検知アーム４１のアーム本体４３が回転する。そして、一方のディスク検知アーム４１のアーム本体４３が連動アーム４０に接触して、この連動アーム４０をばねの付勢力に抗して回転させる。
【００７２】
すると、連動突起４９が低部５４上から傾斜部５６上を通って高部５５上に移動する。すると、前記低部５４と高部５５との段差分、ストッパ部材４５がクランプアーム１６から離れて、ストッパ突起４８が搬送経路Ｒに突出しなくなる（搬送経路Ｒから退避する）。
【００７３】
また、前記ＣＤ２より小さい記録媒体を記録媒体挿入口１２内に挿入しても、一方のディスク検知アーム４１のアーム本体４３が連動アーム４０に接触しない。このため、ストッパ部材４５のストッパ突起４８が、搬送経路Ｒ中に突出したままとなる。
【００７４】
このように、搬送阻止・許容機構５は、所定の外径のＣＤ２が記録媒体挿入口１２に挿入されるとディスク検知アーム４１が連動アーム４０を押し、前記ＣＤ２より小さい記録媒体が記録媒体挿入口１２に挿入されるとディスク検知アーム４１が連動アーム４０に接触しない構成となっている。
【００７５】
駆動機構６は、図７ないし図１０に示すように、駆動源部５７と、切り換え部５８と、スライド駆動部５９と、ピックアップ駆動部６０とを備えている。駆動源部５７は、メインシャーシ１５のシャーシ本体１７の裏面１７ｂに取り付けられている。
【００７６】
駆動源部５７は、駆動源としてのモータ６１と、ウォーム６２とを備えている。モータ６１は、シャーシ本体１７の裏面１７ｂに取り付けられている。モータ６１は、電源などからの電力により回転駆動する出力軸６１ａを備えている。ウォーム６２は、モータ６１の出力軸６１ａに取り付けられている。
【００７７】
切り換え部５８は、図１１ないし図１３に示す切り換えロック部材６３と、図７ないし図１３に示す切り換え部材６４と、図７ないし図１３に示す一対の従動歯車６５とを備えている。切り換えロック部材６３は、メインシャーシ１５のシャーシ本体１７の表面１７ａに取り付けられている。
【００７８】
切り換えロック部材６３は、合成樹脂からなる平板状に形成されており、記録媒体挿入口１２から離れかつ機器本体３の外側に位置する一つの隅部６３ａを中心として回転自在にメインシャーシ１５のシャーシ本体１７に支持されている。
【００７９】
切り換えロック部材６３は、前記隅部６３ａを中心として回転することで、切り換え部材６４を従動歯車６５がスライド駆動部５９の後述の二段歯車７２と噛み合う位置に保つ図１１に示す位置と、切り換え部材６４を揺動自在とする図１３に示す位置と、切り換え部材６４を従動歯車６５がピックアップ駆動部６０の後述のかさ歯車８３と噛み合う位置に保つ図１２に示す位置とに亘って変位する。切り換えロック部材６３は、図１１に示す位置と、図１３に示す位置と、図１２に示す位置とに順に移動する。また、切り換えロック部材６３は、図示しないばねなどにより、図１１に示す位置から図１２に示す位置に向かって付勢されている。
【００８０】
また、切り換えロック部材６３には、規制ピン６６と、駆動ピン８９とが突出している。規制ピン６６は、切り換えロック部材６３からメインシャーシ１５のシャーシ本体１７の裏面１７ｂ側に向かって突出している。規制ピン６６は、スライド駆動部５９の後述のスライド部材７３の溝７９内に侵入する。
【００８１】
規制ピン６６が、溝７９の後述する狭部８１内に位置すると、切り換えロック部材６３は、図１１に示す位置に保たれる。規制ピン６６が、溝７９の後述する広部８０内に位置すると、切り換えロック部材６３は、図１１に示す位置と図１２に示す位置とに亘って変位自在となる。
【００８２】
駆動ピン８９は、切り換えロック部材６３からメインシャーシ１５のシャーシ本体１７の裏面１７ｂ側に向かって突出している。駆動ピン８９は、回転テーブル１９寄りに位置した光ピックアップ部８６と接触する。
【００８３】
さらに、切り換えロック部材６３には、切欠き６７が形成されている。切欠き６７は、前記切り換えロック部材６３の記録媒体挿入口１２から離れた側の縁部を切り欠いている。また、切欠き６７の内縁には、第１ロック突起６８ａと第２ロック突起６８ｂとが設けられている。第１ロック突起６８ａは、切欠き６７の機器本体３の内側寄りの内縁から切欠き６７の内側に向かって突出している。第２ロック突起６８ｂは、切欠き６７の機器本体３の外側寄りの内縁から切欠き６７の内側に向かって突出している。
【００８４】
切り換え部材６４は、合成樹脂からなり帯板状に形成されている。切り換え部材６４は、メインシャーシ１５のシャーシ本体１７の表面１７ａに取り付けられている。切り換え部材６４は、一端部６４ａが切欠き６７内に配されている。切り換え部材６４は、他端部６４ｂを中心として回転自在にメインシャーシ１５のシャーシ本体１７に支持されている。
【００８５】
切り換え部材６４の一端部６４ａには、第１ロック突起６８ａに相対する第１段部６９ａが設けられている。第１段部６９ａは、切り換え部材６４の機器本体３の内側寄りの縁に設けられている。第１段部６９ａは、他端部６４ｂに向かうにしたがって切り換え部材６４の幅を段階的に狭くしている。第１段部６９ａにより切り換え部材６４の幅が広くなる箇所７０は、切り換えロック部材６３が図１１に示す位置に位置付けられると前記第１ロック突起６８ａと接触する。また、切り換えロック部材６３が図１２及び図１３に示す位置に位置付けられると、第１段部６９ａにより切り換え部材６４の幅が狭くなる箇所７１は、前記第１ロック突起６８ａと相対する。
【００８６】
切り換え部材６４の一端部６４ａには、凹み８７と第２段部６９ｂとが設けられている。凹み８７と第２段部６９ｂは、切り換え部材６４の機器本体３の外側寄りの縁に設けられている。凹み８７と第２段部６９ｂとは、互いに連なっている。凹み８７は、切り換え部材６４の幅を狭くしている。第２段部６９ｂは、凹み８７より他端部６４ｂ寄りに配され、他端部６４ｂに向かうにしたがって、切り換え部材６４の幅を段階的に広くしている。
【００８７】
凹み８７には、切り換えロック部材６３が図１１に示す位置に位置付けられると、第２のロック突起６８ｂが侵入する。また、切り換えロック部材６３が図１２に示す位置に位置付けられると、第２段部６９ｂにより切り換え部材６４の幅が狭くなる箇所８８は、第２ロック突起６８ｂと接触する。さらに、切り換えロック部材６３が図１３に示す位置に位置付けられると、切り換え部材６４の一端部６４ａは、第２ロック突起６８ｂと相対する。
【００８８】
一対の従動歯車６５のうち一方の従動歯車６５は、切り換え部材６４の他端部６４ｂに回転自在に支持されている。一方の従動歯車６５は、図７などに示すように、メインシャーシ１５のシャーシ本体１７の裏面１７ｂ側に配されている。一方の従動歯車６５は、前記駆動源部５７のウォーム６２と噛み合っている。
【００８９】
他方の従動歯車６５は、切り換え部材６４の一端部６４ａに回転自在に支持されている。他方の従動歯車６５は、メインシャーシ１５のシャーシ本体１７の裏面１７ｂ側に配されている。他方の従動歯車６５は、切り換え部材６４が他端部６４ｂを中心として回転することで、スライド駆動部５９の後述する二段歯車７２とピックアップ駆動部６０の後述するかさ歯車８３のうち一方または双方と噛み合う（従動歯車６５は、切り換えの途中では、二段歯車７２とかさ歯車８３との双方と噛み合う）。
【００９０】
このため、切り換えロック部材６３が図１１に示す位置に位置付けられると、前記第１ロック突起６８ａと前記箇所７０とが接触して、他方の従動歯車６５がスライド駆動部５９の二段歯車７２と噛み合う。そして、前記突起ロック６８と箇所７０とが接触しているので、他方の従動歯車６５がスライド駆動部５９の二段歯車７２と噛み合う位置に、切り換え部材６４は保たれる。
【００９１】
また、切り換えロック部材６３が図１２に示す位置に位置付けられると、第２ロック突起６８ｂと前記箇所８８とが接触して、他方の従動歯車６５がピックアップ駆動部６０のかさ歯車８３と噛み合う。そして、第２ロック突起６８ｂと箇所８８とが接触しているので、他方の従動歯車６５がピックアップ駆動部６０のかさ歯車８３と噛み合う位置に、切り換え部材６４は保たれる。
【００９２】
さらに、切り換えロック部材６３が図１３に示す位置に位置付けられると、前記第１ロック突起６８ａと前記箇所７１とが間隔をあけて相対するとともに、第２ロック突起６８ｂと前記箇所８８とが間隔をあけて相対する。このため、切り換え部材６４が他端部６４ｂを中心として回転自在となり、ピックアップ駆動部６０のかさ歯車８３と噛み合うことが可能となる。
【００９３】
スライド駆動部５９は、図７などに示すように、二段歯車７２と、図示しない複数の従動歯車と、スライド部材７３と、ラック７４とを備えている。二段歯車７２は、小径歯車７５とこの小径歯車７５より外径が大きな大径歯車７６とを一体に備えている。小径歯車７５と大径歯車７６とは同軸に配されている。二段歯車７２は、メインシャーシ１５のシャーシ本体１７の裏面１７ｂに取り付けられている。二段歯車７２の大径歯車７６は、搬送ローラ２９の歯車３５を伝達駆動する図示しない複数の従動歯車（ローラ前歯車など）と噛み合っている。
【００９４】
二段歯車７２は、メインシャーシ１５のシャーシ本体１７に回転自在に支持されている。二段歯車７２は、切り換え部５８とメインシャーシ１５の一方の側壁１８との間に配されている。二段歯車７２の大径歯車７６は、切り換えロックア部材６３が図１１に示された位置に位置付けられると、他方の従動歯車６５と噛み合う。
【００９５】
複数の従動歯車は、それぞれ、シャーシ８などに回転自在に支持されている。複数の従動歯車のうち一つは、二段歯車７２の大径歯車７６と噛み合い、他の一つは、搬送ローラ２９の歯車３５と噛み合っている。従動歯車は、モータ６１などからの回転駆動力を搬送ローラ２９に伝える。
【００９６】
スライド部材７３は、シャーシ８の一方の側壁１８に、この側壁１８の長手方向に沿ってスライド自在に支持されている。則ち、スライド部材７３は、搬送方向Ｋに沿ってスライド自在となっている。スライド部材７３は、板金などからなり、図７などに示すラック支持部７７と、このラック支持部７７から記録媒体挿入口１２に向かって延びたアーム部７８（図１４などに示す）とを一体に備えている。
【００９７】
ラック支持部７７は、二段歯車７２の近傍に配されており、溝７９を備えている。溝７９は、ラック支持部７７を貫通している。溝７９は、前記搬送方向Ｋに沿って直線状に延びている。溝７９は、幅が広い広部８０と前記広部８０より幅が狭い狭部８１とを備えている。狭部８１は、広部８０の記録媒体挿入口１２側に設けられている。
【００９８】
溝７９は、内側に規制ピン６６を通す。図７に示すスライド部材７３が記録媒体挿入口１２から離れた位置に位置付けられると、前記規制ピン６６は、溝７９の狭部８１の記録媒体挿入口１２寄りの端部に位置する。さらに、図１０に示すスライド部材７３が記録媒体挿入口１２寄りに位置付けられると、前記規制ピン６６は、溝７９の広部８０内に位置する。
【００９９】
また、ラック支持部７７には、支持片８２（図１４などに示す）が一体に設けられている。支持片８２は、ラック支持部７７からクランプアーム１６に向かって延びている。支持片８２は、スライド部材７３が最も記録媒体挿入口１２から離れると、クランプアーム１６の突出片２１のガイド部２４の平坦部２５に接触する。
【０１００】
アーム部７８の記録媒体挿入口１２寄りの端部は、搬送ユニット４のローラアーム２８の一方の立設部３２に連結している。このため、スライド部材７３が、搬送方向Ｋに沿ってスライドすると、搬送ユニット４のローラアーム２８は、搬送位置と搬送阻止位置とに亘って変位する。
【０１０１】
ラック７４は、スライド部材７３のラック支持部７７に取り付けられている。ラック７４は、搬送方向Ｋに沿ってスライド自在にスライド部材７３のラック支持部７７に支持されている。ラック７４の歯は、二段歯車７２の小径歯車７５の歯の近傍に位置する。
【０１０２】
ラック７４は、スライド部材７３が最も記録媒体挿入口１２から離れると、二段歯車７２の小径歯車７５と噛み合う位置（図８に示す）と、二段歯車７２の小径歯車７５の噛み合わない（間隔をあける）位置（図７に示す）とに亘って、ラック支持部７７にスライド自在に支持されている。また、スライド部材７３が最も記録媒体挿入口１２から離れると、ラック７４はアーム４６の押し出しピン５２の近傍でかつ前記押し出しピン５２の記録媒体挿入口１２側に配されている。
【０１０３】
ピックアップ駆動部６０は、かさ歯車８３と、第２のかさ歯車８４と、ねじ軸８５などを備えている。ピックアップ駆動部６０は、切り換え部５８と回転テーブル１９との近傍に配されている。かさ歯車８３は、メインシャーシ１５のシャーシ本体１７の裏面１７ｂに取り付けられている。かさ歯車８３は、メインシャーシ１５のシャーシ本体１７に回転自在に支持されている。第２のかさ歯車８４は、かさ歯車８３と噛み合っている。
【０１０４】
ねじ軸８４は、端部に第２のかさ歯車８４を取り付けている。ねじ軸８５と第２のかさ歯車８４とは同軸である。ねじ軸８５は、メインシャーシ１５のシャーシ本体１７に平行である。ねじ軸８５は、回転テーブル１９の近傍から回転テーブル１９の外周方向に延びている。ねじ軸８５は、メインシャーシ１５のシャーシ本体１７の裏面１７ｂに回転自在に支持されている。ねじ軸８５には、光ピックアップ部８６が螺合している。
【０１０５】
光ピックアップ部８６は、前記ＣＤ２に記録された情報を読み出す。光ピックアップ部８６は、メインシャーシ１５のシャーシ本体１７の表面１７ａ上に位置させられた再生位置のＣＤ２の表面と相対する。光ピックアップ部８６は、ねじ軸８５が軸芯周りに回転することにより、回転テーブル１９に対し接離するように、前記シャーシ本体１７に沿って回転テーブル１９の径方向に沿って移動する。
【０１０６】
また、前記記録媒体再生装置１は、記録媒体挿入口１２内に前述したＣＤ２などが挿入されたことを検出する図示しない検出器と、図示しない制御部を備えている。検出器は、記録媒体挿入口１２内にＣＤ２などが挿入されたことを検出すると、ＣＤ２などが挿入されたことを示す信号を制御部に向かって出力する。
【０１０７】
制御部は、ＤＳＰ（Ｄｉｇｉｔａｌ　Ｓｉｇｎａｌ　Ｐｒｏｃｅｓｓｏｒ）や、ＩＣ（Ｉｎｔｅｇｒａｔｅｄ　Ｃｉｒｃｕｉｔ）などからなる。制御部は、前記モータ２０，６１などを制御して、記録媒体再生装置１全体の制御をつかさどる。制御部は、検出器が記録媒体挿入口１２内にＣＤ２などが挿入されたことを検出して、前記検出器から前述した信号が入力すると、前記モータ６１を搬送ローラ２９がＣＤ２を機器本体３内に収容する方向（以下正転方向と呼ぶ）に駆動する。
【０１０８】
前記ＣＤ２より小さい記録媒体が機器本体３内に挿入されて、後述するようにストッパ突起４８に前記記録媒体が接触する。すると、制御部は、前記記録媒体の侵入が阻止されて所定時間が経過すると、前記モータ６１を逆方向（以下逆転方向と呼ぶ）に回転させる構成となっている。そして、制御部は、モータ６１を逆転方向に回転させて、前記記録媒体を機器本体３外に排出する構成となっている。また、スイッチ１４などが操作されて、ＣＤ２を排出する信号が入力すると、制御部は、前記駆動機構６のモータ６１を逆転方向に回転させる。
【０１０９】
次に、前述した構成の記録媒体再生装置１の作用（動作）について説明する。まず、ＣＤ２が機器本体３内に挿入されていない状態では、図３に示すように、一対のディスク検知アーム４１が矢印Ｓに沿って付勢されてアーム本体４３の一端部４３ａが互いに近づいているとともに、連動アーム４０の一端部が一方のディスク検知アーム４１に近づいている。
【０１１０】
また、図１７（ａ）に示すように、連動アーム４０の他端部の連動部５３の低部５４に連動突起４９が重なっている。ＣＤ２が機器本体３内に未挿入の状態では、図１４に示すように、ストッパ部材４５の平板部４７がクランプアーム１６に重なり、ストッパ突起４８が搬送経路Ｒに突出している。
【０１１１】
さらに、図１４に示すように、スライド部材７３が記録媒体挿入口１２から最も離れている。搬送ユニット４のローラアーム２８の平板部３１がメインシャーシ１５のシャーシ本体１７に対し傾いて、搬送ローラ２９がディスクガイド３０に近づいている。さらに、搬送ローラ２９の歯車３５が、スライド駆動部５９の二段歯車７２の大径歯車７６が伝達駆動される図示しない従動歯車（ローラ前歯車）と噛み合っている。
【０１１２】
また、図１８（ａ）に示すように、クランプアーム１６の突出片２１のガイド部２４の平坦部２５とスライド部材７３の支持片８２とが接触している。このため、クランプアーム１６がメインシャーシ１５のシャーシ本体１７から離れている。このため、回転テーブル１９とクランパ２７は、互いに間隔をあけて相対している。
【０１１３】
また、図７に示すように、アーム４６の押し出しピン５２が、ラック７４の近傍でかつ該ラック７４の記録媒体挿入口１２から離れた側に位置している。また、ラック７４がばねなどの付勢力によりスライド部材７３のラック支持部７７からアーム４６の押し出しピン５２（則ち記録媒体挿入口１２から離れた側）に突出している。ラック７４は、二段歯車７２の小径歯車７５と間隔をあけており、前記小径歯車７５と噛み合っていない。
【０１１４】
さらに、図７及び図１１に示すように、切り換えロック部材６３の規制ピン６６がスライド部材７３のラック支持部７７の溝７９の狭部８１の記録媒体挿入口１２寄りの端部に位置している。切り換えロック部材６３の第１ロック突起６８ａと切り換え部材６４の前述した箇所７０とが接触して、切り換え部材６４の回転が規制されている。
【０１１５】
このため、切り換えロック部材６３は、回転が規制されて、図１１に示す位置に保たれている。切り換え部材６４の一端部６４ａに回転自在に支持された他方の従動歯車６５は、図７及び図１１に示すように、二段歯車７２の大径歯車７６と噛み合っている。
【０１１６】
まず、記録媒体再生装置１の使用者が記録媒体挿入口１２内を通して、搬送ローラ２９とディスクガイド３０との間に、前述した所定の外径のＣＤ２を挿入する。すると、ＣＤ２は、双方のディスク検知アーム４１の突出ピン４４に接触する。ＣＤ２などが記録媒体挿入口１２内に挿入されたことを検出器が検出して、前述した信号を制御部に向かって出力する。
【０１１７】
すると、制御部がモータ６１を正転方向に回転して、このモータ６１の回転駆動力がウォーム６２、従動歯車６５、二段歯車７２及び図示しない従動歯車を介して、搬送ローラ２９の歯車３５に伝わる。搬送ローラ２９が、ＣＤ２を機器本体３内に収容する方向に回転する。図４に示すように、突出ピン４４が互いに離れる方向にディスク検知アーム４１が回転する。
【０１１８】
モータ６１の駆動力によって回転された搬送ローラ２９とディスクガイド３０の滑り部材３７との間にＣＤ２が挟まれる。搬送ローラ２９が回転しているため、ＣＤ２は、クランプアーム１６とメインシャーシ１５のシャーシ本体１７との間即ち再生位置に向かって搬送される。
【０１１９】
すると、突出ピン４４が互いに離れる方向にディスク検知アーム４１がさらに回転して、一方のディスク検知アーム４１のアーム本体４３が連動アーム４０の一端部と接触して、この一端部を側壁１８則ち機器本体３の外側に向かって押す。
【０１２０】
すると、連動アーム４０が図５中の矢印Ｋ１に沿って回転して、連動アーム４０の他端部が機器本体３の内側に変位する。図１７（ｂ）に示すように、連動部５３の傾斜部５６と連動突起４９とが接触した後、図５及び図１７（ｃ）に示すように、連動部５３の高部５５と連動突起４９とが接触する。
【０１２１】
すると、図１５に示すように、前記低部５４と高部５５との段差分ストッパ部材４５がクランプアーム１６から離れる。そして、ストッパ突起４８が搬送経路Ｒに突出しなくなる。そして、前記モータ６１の回転駆動力により搬送ローラ２９が回転しているので、ＣＤ２が再生位置に向かって移動していく。
【０１２２】
すると、ＣＤ２がストッパ機構３９のアーム４６の検知ピン５１に接触する。ＣＤ２に押されて、アーム４６は、図６に示すように、矢印Ｋ２に沿って検知ピン５１が記録媒体挿入口１２から離れる方向に回転する。
【０１２３】
すると、アーム４６の押し出しピン５２がラック７４と接触するとともに、ラック７４を記録媒体挿入口１２に向かって押す。まず、図８に示すように、ラック７４が、記録媒体挿入口１２に向かって移動して、二段歯車７２の小径歯車７５と噛み合う。このとき、勿論、二段歯車７２は、モータ６１の回転駆動力により回転している。
【０１２４】
このため、前記ラック７４は、二段歯車７２の回転により記録媒体挿入口１２に向かって移動する。さらに、ラック７４とともにスライド部材７３が記録媒体挿入口１２に向かって移動する。スライド部材７３が記録媒体挿入口１２に向かって移動していくと、図１８（ｂ）に示すように、スライド部材７３の支持片８２が、クランプアーム１６の突出片２１のガイド部２４の傾斜部２６に接触する。
【０１２５】
すると、傾斜部２６が記録媒体挿入口１２に向かうにしたがって徐々にクランプアーム１６に向かう方向に傾斜しているので、スライド部材７３が記録媒体挿入口１２に近づくのにしたがって、クランプアーム１６が徐々にメインシャーシ１５のシャーシ本体１７に近づく。
【０１２６】
そして、スライド部材７３がさらに記録媒体挿入口１２に向かって移動していくと、図１８（ｃ）に示すように、スライド部材７３の支持片８２とクランプアーム１６の突出片２１のガイド部２４とが、互いに間隔をあけて接触しなくなる。そして、クランプアーム１６が、メインシャーシ１５のシャーシ本体１７に重なり、回転テーブル１９とクランパ２７との間にＣＤ２を挟む（クランプする）。こうして、ＣＤ２は、再生位置に位置付けられる。
【０１２７】
すると、スライド部材７３が図１６に示す位置まで記録媒体挿入口１２寄りに移動する。そして、スライド部材７３の移動に連動して、搬送ユニット４のローラアーム２８が回転して、平板部３１がメインシャーシ１５のシャーシ本体１７と平行になる。
【０１２８】
搬送ローラ２９の歯車３５と図示しない従動歯車あるいは前記ローラ前歯車との噛み合いが外れて、歯車３５則ち搬送ローラ２９の回転が停止する。さらに、爪３４が記録媒体挿入口１２を塞いで、ＣＤ２が機器本体３内から不意に脱落することを防止するとともに、更に別の記録媒体が機器本体３内に侵入することを防止する。
【０１２９】
また、一対のディスク検知アーム４１が、図６に示すように、ばねなどの付勢力により、アーム本体４３の長手方向が搬送方向Ｋに沿う状態になる。そして、連動突起４９が連動アーム４０の連動部５３の低部５４に重なり、図１６に示すように、ストッパ部材４５の平板部４７がクランプアーム１６に重なる。
【０１３０】
さらに、図９に示すように、規制ピン６６が溝７９の広部８０内に位置して、切り換えロック部材６３の回転が許容される。そして、ばねなどの付勢により切り換えロック部材６３が、前記一つの隅部６３ａを中心として回転して、図１３に示す位置をへて、図１２に示す位置に変位する。スライド部材７３が更に記録媒体挿入口１２に向かって移動することが規制されるので、前記二段歯車７２などからの反力などにより、他方の従動歯車６５がかさ歯車８３に向かって押される。切り換え部材６４が、他端部６４ｂを中心として一端部６４ａがかさ歯車８３に近づく方向に回転する。
【０１３１】
すると、切り換え部材６４が、図１２に示すように、矢印Ｋ３に沿って回転する。そして、図１０に示すように、他方の従動歯車６５がかさ歯車８３と噛み合う。すると、前記モータ６１の回転駆動力は、従動歯車６５とかさ歯車８３，８４を介してねじ軸８５を回転させる。その後、使用者などが前述したスイッチ１４を操作して、選曲する。すると、前記モータ６１は、前述した選曲状況に応じて、ねじ軸８５を回転させて、光ピックアップ部８６でＣＤ２に記録されている情報を読み出す。こうして、ＣＤ２を再生する。
【０１３２】
ＣＤ２の再生が終了したり、機器本体３内のＣＤ２を交換する際には、まず、使用者が前述したスイッチ１４などを操作する。すると、前述した動作と逆方向にモータ６１などが駆動して、光ピックアップ部８６が回転テーブル１９に向かって移動する。すると、光ピックアップ部８６が、図１２に示すように、駆動ピン８９に接触する。すると、駆動ピン８９が光ピックアップ部８６に押されて、切り換えロック部材６３が図１３中の矢印Ｋ４に沿って回転する。
【０１３３】
そして、切り換え部材６４は、図１３に示す位置に位置付けられる。その後、さらに、矢印Ｋ４に沿って切り換え部材６４が変位して、切り換えロック部材６３が図１１に示す位置に位置付けられる。このように、従動歯車６５がかさ歯車８３と噛み合う状態から、切り換え部材６４を回転させて、従動歯車６５を二段歯車７２の大径歯車７６に噛み合わせる。
【０１３４】
さらに、ラック７４則ちスライド部材７３を記録媒体挿入口１２から離れる方向に移動させるとともに、規制ピン６６を溝７９の狭部８１内に位置付けて、切り換えロック部材６３を図１１に示す位置に保つ。ラック７４則ちスライド部材７３の移動に連動して、搬送ユニット４のローラアーム２８が回転して搬送ローラ２９が回転する。さらに、クランプアーム１６が徐々にメインシャーシ１５のシャーシ本体１７から離れて、回転テーブル１９とクランパ２７との間に挟まれた（クランプされた）ＣＤ２が記録媒体挿入口１２を通して機器本体３外に排出される。
【０１３５】
また、前述した記録媒体再生装置１に前記ＣＤ２より小さい記録媒体としてのカード型ＣＤ１００（図１９に示す）を挿入する。カード型ＣＤ１００は、平面形状が矩形状である。前記間隔ｂがカード型ＣＤ１００の短辺の長さＢ以下でかつ前記間隔ａがカード型ＣＤ１００の長辺の長さＡ以下である。短辺とは、カード型ＣＤ１００の外縁の短い方の辺であり、長辺とは、カード型ＣＤ１００の外縁の長い方の辺である。すると、図１９に示すように、一方のディスク検知アーム４１のアーム本体４３と連動アーム４０とが接触せずに、連動アーム４０が回転せずに静止している。
【０１３６】
すると、連動突起４９が連動アーム４０の連動部５３の低部５４上に位置したままとなり、ストッパ部材４５の平板部４７がクランプアーム１６に重なった状態を維持する。そして、ストッパ突起４８が搬送経路Ｒに突出したままとなり、ストッパ突起４８に前述したカード型ＣＤ１００が接触する。すると、カード型ＣＤ１００は、ストッパ突起４８により再生位置まで搬送されない。その後、所定時間経過すると、制御部がモータ６１を逆方向に駆動して、カード型ＣＤ１００を機器本体３外に排出する。
【０１３７】
このように、搬送阻止・許容機構５は、前記搬送ユニット４が前記ＣＤ２を前記記録媒体挿入口１２から前記再生位置に向かって搬送することを許容する。搬送阻止・許容機構５は、前記搬送ユニット４が前記ＣＤ２より小さいカート型ＣＤ１００を前記記録媒体挿入口１２から前記再生位置に向かって搬送することを阻止する。
【０１３８】
さらに、搬送ユニット４は、前記ＣＤより小さいカート型ＣＤ１００を前記記録媒体挿入口１２から前記再生位置に向かって搬送することを前記搬送阻止・許容機構５が阻止して所定時間経過すると、前記カート型ＣＤ１００を前記記録媒体挿入口１２を通して機器本体３外に排出する構成となっている。
【０１３９】
本実施例によれば、ＣＤ２より小さいカード型ＣＤ１００などの記録媒体が再生位置に向かって搬送されることを搬送阻止・許容機構５が阻止する。このため、所定のＣＤ２より小さい記録媒体が、再生位置に位置付けられることを防止できる。また、制御部がモータ６１を逆方向に回転させて、機器本体３内への侵入が阻止されたＣＤ２より小さいカード型ＣＤ１００などの記録媒体を機器本体３外に搬出する。
【０１４０】
したがって、所定の外径のＣＤ２より小さい記録媒体が、機器本体３内に侵入することを阻止でき、機器本体３内から所定の外径のＣＤ２より小さい記録媒体が抜け出なくことを防止できる。
【０１４１】
所定の外径のＣＤ２が記録媒体挿入口１２内に挿入されると、一対のディスク検知アーム４１に接触する。すると、ディスク検知アーム４１は、付勢力に抗して回転して、連動アーム４０を回転させる。そして、ストッパ突起４８が搬送経路Ｒから抜け出る方向にストッパ部材４５が変位する。このため、搬送阻止・許容機構５は、所定の外径のＣＤ２が機器本体３内に侵入することを確実に許容する。
【０１４２】
また、一対のディスク検知アーム４１に接触しないと、ストッパ部材４５のストッパ突起４８は、搬送経路Ｒ内に突出している。このため、所定の外径のＣＤ２より小さい記録媒体は、記録媒体挿入口１２を通して挿入されると、確実にストッパ突起４８に接触する。
【０１４３】
さらに、前記間隔ａが長辺の長さＡ以下でかつ前記間隔ｂが短辺の長さＢ以下である。このため、カード型ＣＤ１００を確実にストッパ突起４８に接触させることができる。
【０１４４】
前述した実施例によれば、以下の記録媒体再生装置が得られる。
（付記１）　所定の外径のＣＤ２を機器本体３内の再生位置に位置させて、このＣＤ２に記録された情報を読み出す記録媒体再生装置１において、
前記ＣＤ２を前記機器本体３に設けられた記録媒体挿入口１２から前記再生位置に至る搬送経路Ｒに沿って搬送する搬送ユニット４と、
前記搬送ユニット４が前記ＣＤ２を前記記録媒体挿入口１２から前記再生位置に向かって搬送することを許容するとともに、前記搬送ユニット４が前記ＣＤ２より小さいカード型ＣＤ１００を前記記録媒体挿入口１２から前記再生位置に向かって搬送することを阻止する搬送阻止・許容機構５と、
を備えたことを特徴とする記録媒体再生装置１。
【０１４５】
（付記２）　前記搬送ユニット４は、前記ＣＤ２より小さいカード型ＣＤ１００を前記記録媒体挿入口１２から前記再生位置に向かって搬送することを前記搬送阻止・許容機構５が阻止して所定時間が経過すると、前記カード型ＣＤ１００を前記記録媒体挿入口１２を通して機器本体３外に排出する構成となっていることを特徴とする付記１記載の記録媒体再生装置１。
【０１４６】
（付記３）　前記搬送阻止・許容機構５は、
前記機器本体３のシャーシ８にそれぞれ回転自在に設けられているとともに第１の方向に付勢された一対のディスク検知アーム４１と、
前記シャーシ８に回転自在に設けられかつ前記一対のディスク検知アーム４１と連動して回転する連動アーム４０と、
前記シャーシ８に重ねられる平板部４７とこの平板部４７から突出したストッパ突起４８とを備え、前記ストッパ突起４８が前記搬送経路Ｒに突没自在に前記シャーシ８に支持されているとともに前記ＣＤ２が機器本体３内に未挿入の状態ではストッパ突起４８が搬送経路Ｒに突出したストッパ部材４５と、を備え、
前記搬送ユニット４がＣＤ２を再生位置に向かって搬送すると、前記一対のディスク検知アーム４１が前記ＣＤ２に接触して付勢力に抗して回転するとともに、前記一対のディスク検知アーム４１が回転すると前記連動アーム４０が回転して、この連動アーム４０の回転に連動して前記ストッパ部材４５が付勢力に抗して変位して前記ストッパ突起４８が搬送経路Ｒから退避することを特徴とする付記１または付記２記載の記録媒体再生装置１。
【０１４７】
（付記４）前記搬送阻止・許容機構５は、前記ＣＤ２と接触しかつ回転中心Ｐ回りに回転することで前記ＣＤ２を搬送する搬送ローラ２９を備え、
前記ストッパ部材４５は前記ストッパ突起４８を一対備え、これら一対のストッパ突起４８は前記機器本体３の幅方向に沿って互いに間隔をあけており、
前記記録媒体として平面矩形状のカード型ＣＤ１００を搬送する際に、記録媒体挿入口１２から前記再生位置に至る方向Ｋの前記搬送ローラ２９の回転中心Ｐと前記ストッパ突起４８との間隔ｂが前記カード型ＣＤ１００の短辺の長さＢ以下で、かつ前記機器本体３の幅方向の一対のストッパ突起４８間の間隔ａが従動歯車６５カード型ＣＤ１００の長辺の長さＡ以下であることを特徴とする付記３記載の記録媒体再生装置１。
【０１４８】
付記１に記載した本発明の記録媒体再生装置１によれば、ＣＤ２より小さいカード型ＣＤ１００が再生位置に向かって搬送することを搬送阻止・許容機構５が阻止する。このため、所定の外径のＣＤ２より小さいカード型ＣＤ１００が、再生位置に位置付けられることを防止できる。したがって、所定の外径のＣＤ２より小さいカード型ＣＤ１００が、機器本体３内に侵入することを阻止できる。また、機器本体３内から、所定の外径のＣＤ２より小さいカード型ＣＤ１００が抜け出れなくことを防止できる。
【０１４９】
付記２に記載した本発明の記録媒体再生装置によれば、搬送ユニット４が、搬送阻止・許容機構５により機器本体３内への侵入が阻止されたカード型ＣＤ１００を機器本体３外に搬出する。このため、所定の大きさのＣＤ２より小さいカード型ＣＤ１００が、再生位置に位置付けられることを防止できる。したがって、所定の外径のＣＤ２より小さいカード型ＣＤ１００が、機器本体３内に侵入することを阻止できる。また、機器本体３内から、所定の外径のＣＤ２より小さいカード型ＣＤ１００が抜け出れなくことを防止できる。
【０１５０】
付記３に記載した本発明の記録媒体再生装置１によれば、ＣＤ２が記録媒体挿入口１２内に挿入されると、一対のディスク検知アーム４１に接触する。すると、ディスク検知アーム４１は、付勢力に抗して回転して、連動アーム４０を回転させる。そして、ストッパ突起４８が搬送経路Ｒから抜け出る方向にストッパ部材４５が変位する。このため、搬送阻止・許容機構５は、所定の外径のＣＤ２が機器本体３内に侵入することを確実に許容する。
【０１５１】
また、一対のディスク検知アーム４１に接触しないと、ストッパ部材４５のストッパ突起４８は、搬送経路Ｒ内に突出している。このため、ＣＤ２より小さいカード型ＣＤ１００は、記録媒体挿入口１２を通して挿入されると、確実にストッパ突起４８に接触する。
【０１５２】
このため、搬送阻止・許容機構５は、所定の外径のＣＤ２より小さいカード型ＣＤ１００が再生位置に位置付けられることを防止できる。したがって、所定の外径のＣＤ２より小さいカード型ＣＤ１００が機器本体３内に侵入することを防止できるとともに、勿論機器本体３外に排出できなくなることを防止できる。
【０１５３】
付記４によれば、搬送ローラ２９の回転中心Ｐとストッパ突起４８との間隔ｂがカード型ＣＤ１００の短辺の長さＢ以下で、かつストッパ突起４８間の間隔ａがカード型ＣＤ１００の長辺の長さＡ以下である。このため、カード型ＣＤ１００を記録媒体挿入口１２から挿入すると、カード型ＣＤ１００は確実にストッパ突起４８に接触する。このため、カード型ＣＤ１００が機器本体３内に侵入することを防止できるとともに、勿論機器本体３外に排出できなくなることを防止できる。
【図面の簡単な説明】
【図１】本発明の一実施例にかかる記録媒体再生装置を示す斜視図である。
【図２】図１中のＩＩ−ＩＩ線に沿う断面を模式的に示す説明図である。
【図３】図１に示された記録媒体再生装置の搬送阻止・許容機構の構成を上方からみた説明図である。
【図４】図３に示された記録媒体再生装置内にＣＤが挿入され始めた状態を上方からみた説明図である。
【図５】図４に示された状態からさらにＣＤが挿入された状態を上方からみた説明図である。
【図６】図３に示された記録媒体再生装置内にＣＤを収容した状態を上方からみた説明図である。
【図７】図１に示された記録媒体再生装置の駆動機構の要部を下方からみた説明図である。
【図８】図７に示された駆動機構のラックと二段歯車とが噛み合った状態を下方からみた説明図である。
【図９】図８に示された駆動機構のラックが記録媒体挿入口に向かって移動した状態を下方からみた説明図である。
【図１０】図９に示された駆動機構の従動歯車がかさ歯車と噛み合った状態を下方からみた説明図である。
【図１１】図７に示された駆動機構の要部を上方からみた説明図である。
【図１２】図１０に示された駆動機構の要部を上方からみた説明図である。
【図１３】図１１に示された駆動機構の切り換え部の切り換え部材が図１１に示す位置と図１２に示す位置との間に位置した状態の説明図である。
【図１４】図３に示された状態の記録媒体再生装置を側方からみた説明図である。
【図１５】図５に示された状態の記録媒体再生装置を側方からみた説明図である。
【図１６】図６に示された状態の記録媒体再生装置を側方からみた説明図である。
【図１７】（ａ）は、図１に示された記録媒体再生装置の連動突起が低部に重なった状態を模式的に示す説明図である。（ｂ）は、図１に示された記録媒体再生装置の連動突起が傾斜部に重なった状態を模式的に示す説明図である。（ｃ）は、図１に示された記録媒体再生装置の連動突起が高部に重なった状態を模式的に示す説明図である。
【図１８】（ａ）は、図１に示された記録媒体再生装置のクランプアームの突出片の平坦部とスライド部材の突出片が重なった状態を模式的に示す説明図である。（ｂ）は、図１に示された記録媒体再生装置のクランプアームの突出片の傾斜部とスライド部材の突出片が重なった状態を模式的に示す説明図である。（ｃ）は、図１に示された記録媒体再生装置のクランプアームの突出片とスライド部材の突出片とが離れた状態を模式的に示す説明図である。
【図１９】図３に示された記録媒体再生装置内にカード型ＣＤを挿入した状態を上方からみた説明図である。
【符号の説明】
１　記録媒体再生装置
２　ＣＤ（所定の外径のディスク形記録媒体）
３　機器本体
４　搬送ユニット（搬送手段）
５　搬送阻止・許容機構（搬送阻止手段）
８　シャーシ
１２　記録媒体挿入口
２９　搬送ローラ
４０　連動アーム
４１　ディスク検知アーム
４５　ストッパ部材
４７　平板部
４８　ストッパ突起（突起）
１００　カード型ＣＤ（記録媒体）
Ｒ　搬送経路
Ｓ　一方向
Ｐ　回転中心（中心軸）
Ａ　長辺の長さ
Ｂ　短辺の長さ
ａ，ｂ　間隔
Ｋ　搬送方向（記録媒体が記録媒体挿入口から再生位置に至る方向）
【図１】
2004145912.tif 000003
【図２】
2004145912.tif 000004
【図３】
2004145912.tif 000005
【図４】
2004145912.tif 000006
【図５】
2004145912.tif 000007
【図６】
2004145912.tif 000008
【図７】
2004145912.tif 000009
【図８】
2004145912.tif 000010
【図９】
2004145912.tif 000011
【図１０】
2004145912.tif 000012
【図１１】
2004145912.tif 000013
【図１２】
2004145912.tif 000014
【図１３】
2004145912.tif 000015
【図１４】
2004145912.tif 000016
【図１５】
2004145912.tif 000017
【図１６】
2004145912.tif 000018
【図１７】
2004145912.tif 000019
【図１８】
2004145912.tif 000020
【図１９】
2004145912.tif 000021